(57)【要約】【課題】高画質且つ低価格若しくは無償の写真プリントを利用者に提供することができるとともに、広告対象者を絞った広告が可能な効果的な広告媒体を広告依頼者に提供する。【解決手段】利用者の画像が印画された写真プリントに掲載される広告は、広告依頼者が要望した広告対象者の写真プリントのみに掲載されるような仕組みになっている。即ち、広告依頼者が要望した広告対象者に関連した広告対象者情報１２３と、その広告依頼者の広告とをホストコンピュータ７内の広告データベースで管理しておき、一方、ＤＰ袋を使用してプリント注文した利用者情報１２０を、そのＤＰ袋又はＤＰ袋内に同封されたアンケート用紙等から抽出し、この利用者情報を基に前記広告データベースからその利用者に適合する広告を検索する。写真プリンタ１０は、上記のようにして検索した広告を利用者の画像が印画されたハロゲン化銀写真印画紙の裏面又は表面の一部に印画する。【選択図】          図１
2004177727.tif 000002
【特許請求の範囲】
【請求項１】
画像が記録された記録メディア等を入れるためのＤＰ袋を介してハロゲン化銀写真印画紙への印画のプリント注文を受け付け、前記ＤＰ袋内に同封された前記記録メディアに記録された画像を該ハロゲン化銀写真印画紙の乳剤塗布面に印画する写真プリントの製造方法において、
（ａ）  前記ＤＰ袋又はＤＰ袋内に同封されたアンケート用紙等に記載された情報からそのＤＰ袋を使用してプリント注文した利用者に関連する利用者情報を入力する工程と、
（ｂ）  広告依頼者からの広告対象者の要望に関連した広告対象者情報に基づいて広告データベースで管理された広告のうちから前記入力した利用者情報に適合する広告を検索する工程と、
（ｃ）  前記ＤＰ袋内に同封された前記記録メディアに記録された画像をハロゲン化銀写真印画紙の乳剤塗布面に印画するとともに、前記工程（ｂ）  で検索した広告を該ハロゲン化銀写真印画紙の裏面又は表面の一部に印画し、若しくは貼り付けて広告付写真プリントを製造する工程と、
を含むことを特徴とする広告付写真プリントの製造方法。
【請求項２】
前記記録メディアは、ハロゲン化銀塩写真フイルム、ＣＤ−ＲＯＭ、ＤＶＤ  、ＭＯ、フロッピーディスク及び半導体メモリのうちのいずれかである請求項１に記載の広告付写真プリントの製造方法。
【請求項３】
ネットワークを介してハロゲン化銀写真印画紙への印画のプリント注文を受け付け、該プリント注文の受け付けとともに受信した画像を該ハロゲン化銀写真印画紙の乳剤塗布面に印画する写真プリントの製造方法において、
（ａ）  ネットワークを介して画像、該画像のプリント注文内容、及び利用者の識別情報を受信する工程と、
（ｂ）  利用者の識別情報に基づいて利用者に関連する利用者情報を管理する利用者データベースから前記プリント注文を受け付けた利用者に関連する利用者情報を抽出する工程と、
（ｃ）  広告依頼者からの広告対象者の要望に関連した広告対象者情報に基づいて広告データベースで管理された広告のうちから前記工程（ｂ）  で抽出した利用者情報に適合する広告を検索する工程と、
（ｄ）  前記ネットワークを介して受信した画像をハロゲン化銀写真印画紙の乳剤塗布面に印画するとともに、前記工程（ｃ）  で検索した広告を該ハロゲン化銀写真印画紙の裏面又は表面の一部に印画し、若しくは貼り付けて広告付写真プリントを製造する工程と、
を含むことを特徴とする広告付写真プリントの製造方法。
【請求項４】
前記利用者情報及び広告対象者情報は、それぞれ利用者の性別、年齢、家族構成、職種、地域及び趣味のうちのいずれか１以上を含むことを特徴とする請求項１又は３に記載の広告付写真プリントの製造方法。
【請求項５】
ネットワークを介してハロゲン化銀写真印画紙への印画のプリント注文を受け付け、該プリント注文の受け付けとともに受信した画像を該ハロゲン化銀写真印画紙の乳剤塗布面に印画する写真プリントの製造方法において、
（ａ）  ネットワークでのプリント受付時に写真プリントに載せる広告をネットワーク上で閲覧可能にして利用者に選択させる工程と、
（ｂ）  前記ネットワークを介して利用者の画像及び前記工程（ａ）  で選択された広告を示す情報を受信する工程と、
（ｃ）  前記受信した広告を示す情報に基づいて広告データベースで管理された広告のうちから前記工程（ａ）  で選択された広告を抽出する工程と、
（ｄ）  前記ネットワークを介して受信した画像をハロゲン化銀写真印画紙の乳剤塗布面に印画するとともに、前記工程（ｃ）  で抽出した広告を該ハロゲン化銀写真印画紙の裏面又は表面の一部に印画し、若しくは貼り付けて広告付写真プリントを製造する工程と、
を含むことを特徴とする広告付写真プリントの製造方法。
【請求項６】
請求項１乃至５のいずれかに記載の広告付写真プリントの製造方法によって製造された広告付写真プリントを利用者に提供し、
前記広告付写真プリントの代金の一部又は全部を前記広告依頼者が負担することを特徴とする利用者と広告依頼者双方に対するサービスの提供方法。
【請求項７】
前記広告付写真プリントに印画される広告の大きさ及び／又は印刷位置に応じて１枚の広告付写真プリントに対して広告依頼者が負担する代金を変化させ、
前記広告付写真プリントに印画される広告の大きさ及び／又は印刷位置に応じて１枚の広告付写真プリントに対して利用者が負担する代金を提示し、プリント注文受け付け時に利用者が負担する代金を選択させることを特徴とする請求項５に記載の利用者と広告依頼者双方に対するサービスの提供方法。
【発明の詳細な説明】
【０００１】
【発明の属する技術分野】本発明は広告付写真プリントの製造方法及び利用者と広告依頼者双方に対するサービスの提供方法に係り、特に広告依頼者から依頼された広告を利用者の写真プリントに掲載し、その広告掲載の見返りとしてプリント代金の一部又は全部を広告依頼者が負担するようにした広告付写真プリントの製造方法及び利用者と広告依頼者双方に対するサービスの提供方法に関する。
【０００２】
【従来の技術】
従来よりハロゲン化銀写真印画紙は、画質、色再現性、若しくは画像保存性等の向上が追求されてきた。カラープリントの登場以来これらの性能は絶え間ない研究努力によって大幅に向上してきたことはハロゲン化銀写真ユーザーの多くが認めることである。その結果、これらの一般の鑑賞用画像記録媒体としての最も重要な性能に関して、他の手段では得がたい最も優れたパフォーマンスを維持しつづけてきたと言っても過言ではない。
【０００３】
これと同時に、利用者の写真利用コストに関しても、画像性能向上に伴いパフォーマンス／コストが大幅に向上してきた。更に、コストダウンのための研究開発を含めた企業努力により、利用者の絶対的写真利用コストも大幅に低下してきたと言ってよい。
【０００４】
しかし、利用者にとっては、更に低い写真利用コストを求めるニーズがあることも無視できない。
【０００５】
一方、従来より広告媒体として利用されてきたものとしては回覧版、新聞広告、又はラジオ若しくはテレビコマーシャルなどがある。特にテレビコマーシャルは民間放送局開局以来、広告受給者に対して極めて認知度の高い効果的な広告媒体として、半世紀以上に渡り広告依頼者に対して比類のない高い価値を有してきた。
【０００６】
近年、急速に市場に浸透してきたインターネットにおいても、訪問者の多いホームページに高い広告価値が見出され、効果的な広告媒体として定着してきた。しかし、自社サービスの効果的な広告方法を常に模索している多くの企業にとっては、依然として新たな効果的な広告媒体の発生は歓迎されるべきものである。
【０００７】
従来、新たな広告媒体として写真プリントを利用することが提案されている（特許文献１、２参照）。
【０００８】
特許文献１に記載の画像印刷方法は、コンビニエンス・ストアなどの小売り店舗に設置された端末店舗と、各端末店舗の本部との間で通信ネットワークを構成し、プリンタ装置を設置する端末店舗の「固有情報」に基づいて本部から配信される広告を、利用者の画像の適所に印画するようにしている。
【０００９】
前記端末店舗の「固有情報」は、端末店舗の販売状況や店舗利用者（客）の物品購入情報であり、本部はこの「固有情報」に基づいて端末店舗に見合った効率のよい広告が行えるように広告を選び出して端末店舗に配信する。また、このようにして印画された広告付写真プリントの代金の少なくとも一部を広告依頼者が負担するようにしている。
【００１０】
また、特許文献２には、展示会、イベント会場などの施設と提携しているスポンサーの広告を、施設への来場者を撮影した画像と合成して写真プリントを作成し、これを来場者に原則無料で配布するようにした広告付写真プリントによる広告方法が開示されている。
【００１１】
【特許文献１】
特開２００２−１３２６３７
【００１２】
【特許文献２】
特開２００２−５１２０４
【００１３】
【発明が解決しようとする課題】
上記特許文献１及び２に記載の広告付写真プリントは、端末店舗のプリンタ装置や展示会などの施設に設けられたプリンタにより出力されるものであり、露光及び現像を必要とするハロゲン化銀写真印画紙に印画されたものではなく、その結果、画質、色再現性及び画像保存性等を要求する利用者は、上記のようにして得た広告付写真プリントをアルバムに保存し、繰り返し鑑賞する対象としない場合が考えられる。
【００１４】
その一方、特許文献１に記載の広告付写真プリントに広告を掲載した広告依頼者は、端末店舗に見合った効率のよい広告が行うことができるが、利用者の個人情報を広告内容に反映させることができず、また、特許文献２に記載の広告付写真プリントに広告を掲載した広告依頼者は、展示会などの施設に来場した来場者に対しては有効な広告を行うことができるが、広く写真プリントを利用する利用者に対して広告対象者を絞って有効な広告を行うことができないという問題がある。
【００１５】
本発明はこのような事情に鑑みてなされたもので、画質、色再現性及び画像保存性等を満足する写真プリントを利用者に提供し、また、写真プリントに対する利用者の負担を軽減するとともに、広告依頼者にとって効率のよい広告を行うことができる広告付写真プリントの製造方法及び利用者と広告依頼者双方に対するサービスの提供方法を提供することを目的とする。
【００１６】
【課題を解決するための手段】
前記目的を達成するために請求項１に係る発明は、画像が記録された記録メディア等を入れるためのＤＰ袋を介してハロゲン化銀写真印画紙への印画のプリント注文を受け付け、前記ＤＰ袋内に同封された前記記録メディアに記録された画像を該ハロゲン化銀写真印画紙の乳剤塗布面に印画する写真プリントの製造方法において、
（ａ）  前記ＤＰ袋又はＤＰ袋内に同封されたアンケートや注文書に記載された情報からそのＤＰ袋を使用してプリント注文した利用者に関連する利用者情報を入力する工程と、
（ｂ）  広告依頼者からの広告対象者の要望に関連した広告対象者情報に基づいて広告データベースで管理された広告のうちから前記入力した利用者情報に適合する広告を検索する工程と、
（ｃ）  前記ＤＰ袋内に同封された前記記録メディアに記録された画像をハロゲン化銀写真印画紙の乳剤塗布面に印画するとともに、前記工程（ｂ）  で検索した広告を該ハロゲン化銀写真印画紙の裏面又は表面の一部に印画し、若しくは貼り付けて広告付写真プリントを製造する工程と、
を含むことを特徴としている。
【００１７】
即ち、ハロゲン化銀写真印画紙を用いた写真プリントにおいて、プリント注文した利用者の固有の画像がハロゲン化銀乳剤塗布面（表面）  に印画され、かつ広告依頼者から提供された広告が該ハロゲン化銀写真印画紙の裏面（利用者の画像を印画した面とは反対側の面）  若しくは表面の一部に印画（印字を含む）するようにしている。
【００１８】
ここで、広告依頼者の広告は、任意の利用者の写真プリントに印画されるのではなく、広告依頼者が要望した広告対象者の写真プリントに印画されるような仕組みになっている。即ち、広告対象者情報と、その広告依頼者の広告とを広告データベースで管理しておき、一方、ＤＰ袋を使用してプリント注文した利用者に関連する利用者情報を、そのＤＰ袋又はＤＰ袋内に同封されたアンケートや注文書から抽出し、この利用者情報と広告対象者情報とのマッチングをとることにより前記広告データベースからその利用者に適合する広告を検索する。そして、このようにして検索された広告を、利用者の画像が印画されたハロゲン化銀写真印画紙の裏面又は表面の一部に印画し、若しくは貼り付けるようにしている。これにより、広告依頼者は、広告対象者を絞った効率のよい広告を行うことができる。
【００１９】
請求項２に示すように前記記録メディアは、ハロゲン化銀塩写真フイルム、ＣＤ−ＲＯＭ、ＤＶＤ  、ＭＯ、フロッピーディスク及び半導体メモリのうちのいずれかであり、利用者の画像が記録されたものであれば如何なる記録メディアでもよい。
【００２０】
請求項３に係る発明は、ネットワークを介してハロゲン化銀写真印画紙への印画のプリント注文を受け付け、該プリント注文の受け付けとともに受信した画像を該ハロゲン化銀写真印画紙の乳剤塗布面に印画する写真プリントの製造方法において、
（ａ）  ネットワークを介して画像、該画像のプリント注文内容、及び利用者の識別情報を受信する工程と、
（ｂ）  利用者の識別情報に基づいて利用者に関連する利用者情報を管理する利用者データベースから前記プリント注文を受け付けた利用者に関連する利用者情報を抽出する工程と、
（ｃ）  広告依頼者からの広告対象者の要望に関連した広告対象者情報に基づいて広告データベースで管理された広告のうちから前記工程（ｂ）  で抽出した利用者情報に適合する広告を検索する工程と、
（ｄ）  前記ネットワークを介して受信した画像をハロゲン化銀写真印画紙の乳剤塗布面に印画するとともに、前記工程（ｃ）  で検索した広告を該ハロゲン化銀写真印画紙の裏面又は表面の一部に印画し、若しくは貼り付けて広告付写真プリントを製造する工程と、
を含むことを特徴としている。
【００２１】
即ち、請求項１に係る発明は、ＤＰ袋を介して写真プリントの注文を受け付けているのに対し、請求項３に係る発明は、ネットワークを介して写真プリントの注文を受け付ける点で相違している。また、ネットワークを介して写真プリントの注文を受け付ける場合の利用者情報は、ユーザＩＤなどの利用者の識別情報に基づいて利用者データベースから抽出するようにしている。尚、利用者の個人情報などの利用者情報は、ネットワークでのプリント注文に先立って利用者データベースに登録管理されているため、ネットワークを介してプリント注文する利用者の情報は、プリント注文時に受信する利用者の識別情報を基に前記利用者データベースから抽出することができる。
【００２２】
請求項４に示すように、前記利用者情報及び広告対象者情報は、それぞれ利用者の性別、年齢、家族構成、職種、地域及び趣味のうちのいずれか１以上を含むことを特徴としている。尚、ＤＰ袋には、取次店（取引先）を示す取引先コードと、連番の受付番号とからなるバーコードが印刷されており、この取引先コードが示す取引先の所在地を、利用者の居所（地域）を表す情報として利用することができる。
【００２３】
請求項５に係る発明は、ネットワークを介してハロゲン化銀写真印画紙への印画のプリント注文を受け付け、該プリント注文の受け付けとともに受信した画像を該ハロゲン化銀写真印画紙の乳剤塗布面に印画する写真プリントの製造方法において、
（ａ）  ネットワークでのプリント受付時に写真プリントに載せる広告をネットワーク上で閲覧可能にして利用者に選択させる工程と、
（ｂ）  前記ネットワークを介して利用者の画像及び前記工程（ａ）  で選択された広告を示す情報を受信する工程と、
（ｃ）  前記受信した広告を示す情報に基づいて広告データベースで管理された広告のうちから前記工程（ａ）  で選択された広告を抽出する工程と、
（ｄ）  前記ネットワークを介して受信した画像をハロゲン化銀写真印画紙の乳剤塗布面に印画するとともに、前記工程（ｃ）  で抽出した広告を該ハロゲン化銀写真印画紙の裏面又は表面の一部に印画し、若しくは貼り付けて広告付写真プリントを製造する工程と、
を含むことを特徴としている。
【００２４】
請求項１、３に係る発明はいずれも利用者情報からその利用者に適した広告を自動的に選択するようにしているが、請求項５に係る発明では、利用者に写真プリントに掲載する広告を選択させるようにしている。
【００２５】
請求項６に係る利用者と広告依頼者双方に対するサービスの提供方法は、請求項１乃至５のいずれかに記載の広告付写真プリントの製造方法によって製造された広告付写真プリントを利用者に提供し、前記広告付写真プリントの代金の一部又は全部を前記広告依頼者が負担することを特徴としている。
【００２６】
写真利用コストを現状よりも下げられない最も大きな理由の１つは、フイルム、印画紙、処理剤等の製造コスト、及び現像、プリント等の作業コスト全てを利用者からの支払いでまかなっている点にあると考えられる。
【００２７】
そこで、ハロゲン化銀写真印画紙の表面の一部、又は裏面に広告を印画したハロゲン化銀写真印画紙を利用者に提供することにより、フイルム、印画紙、処理剤等の製造コスト、及び現像、プリント等の作業コストの一部又は全部を、広告依頼者からの広告料金でまかなうことにより、利用者には低価格で高品質の写真プリントを提供するとともに、広告依頼者には広告対象者を絞った効率のよい広告を可能にし、利用者と広告依頼者双方に対して良好なサービスを提供することができる。
【００２８】
請求項７に示すように、前記広告付写真プリントに印画される広告の大きさ及び／又は印刷位置に応じて１枚の広告付写真プリントに対して広告依頼者が負担する代金を変化させ、前記広告付写真プリントに印画される広告の大きさ及び／又は印刷位置に応じて１枚の広告付写真プリントに対して利用者が負担する代金を提示し、プリント注文受け付け時に利用者が負担する代金を選択させることを特徴としている。尚、広告依頼者が負担する広告料金は、広告の大きさが大きい程、また写真プリントの裏面よりも表面の方が高く設定される。また、利用者は、広告付写真プリント以外の写真プリントも選択することができることは言うまでもなく、この場合には写真プリントに対する代金は利用者が全額負担することになる。
【００２９】
【発明の実施の形態】
以下添付図面に従って本発明に係る広告付写真プリントの製造方法及び利用者と広告依頼者双方に対するサービスの提供方法の好ましい実施の形態について詳説する。
【００３０】
本発明に係る広告付写真プリントは、ハロゲン化銀写真印画紙に利用者の画像が印画される。ハロゲン化銀写真印画紙とは、当業界においてはとりわけよく知られたものであり、モノクロの印画紙、或いはカラーの印画紙を包含する。カラー印画紙（本明細書中、カラーペーパと記載することがある）の場合、カラーネガよりプリントするカラー印画紙、又は反転用印画紙も包含するものである。これらの印画紙は裏面に更に印画できる構造を有していることが好ましく、それについては後述する。
【００３１】
本発明において、ハロゲン化銀写真印画紙の表面とは、ハロゲン化銀乳剤塗布面を意味する。裏面とはハロゲン化銀乳剤の塗布されてない面を指す。しかし、本発明の写真プリント、印画紙、及びサービスの提供方法は、紙の一方の面のみにハロゲン化銀乳剤が塗布された写真プリント、印画紙に限られない。紙の両面にハロゲン化銀写真乳剤が塗布されているものも本発明に係る写真プリント及び印画紙に含まれ、この場合、表面とは利用者が写真プリントサービスを受けようとする対象となる利用者の持ち込む固有の画像が主に印画された面をいい、それとは反対の面を裏面というものとする。
【００３２】
次に、印画紙の表面の一部に広告を印画（印字も含む）する方法について説明する。
【００３３】
如何なる方法によって、印画紙の表面に広告を印画してもよい。例えば、利用者の固有の画像及び広告が撮影等によってアナログ記録されたネガフイルム、又はリバーサルフイルムを透過してハロゲン化銀印画紙に露光する方法を用いてもよいし、デジタルの画像データを元にレーザ等で露光してもよい。アナログ記録されたネガフイルムを用いて露光する場合の好ましい印画の方法は、例えば、写真印画紙の一部分に利用者の固有の画像が記録されたネガフイルムを透過露光し、その後、それ以前、若しくは同時に広告が記録されたネガフイルムを同一印画紙の他の部分に透過露光する方法などである。
【００３４】
利用者の固有の画像の印画と広告の印画の順序はどちらが先でもよいし、同時でもよい。好ましくは同時である。
【００３５】
印画紙表面の内、利用者の固有の画像の印画された部分の面積と広告が印画された部分の面積との比率は如何なる比率でもよいが、（利用者の固有の画像の印画された部分の面積）／（広告が印画された部分の面積）の比率は１以上１００  以下であることが好ましく、更に好ましくは２以上５０以下、更に好ましくは３以上２５以下、更に好ましくは４以上１５以下、特に好ましくは５以上１５以下である。
【００３６】
印画紙のサイズ、縦横の比率は如何なるものでもよく、好ましくは既存の規格のものがよいが、既存の規格の利用者の固有の画像の印画部分を確保するために広告の印画部分が付加された分だけ既存の規格よりも大きく、縦横の比率が変更されたものも好ましい。
【００３７】
広告の作成方法として好ましくは、コンピュータの画像処理ソフトで作成することが挙げられる。コンピュータで作成されたデジタルデータの広告は如何なる印画方法で印画紙の表面の一部又は裏面に印刷されてもよい。好ましい方法はデジタルの広告データに基づいて直接レーザ露光等により印画する方法である。
【００３８】
次に、写真プリントの裏面に広告を印画する方法について説明する。
【００３９】
如何なる方法、順序で裏面に広告を印画してもよい。好ましい方法として、インクジェット、電子写真、その他の印刷等が挙げられる。写真印画紙のハロゲン化銀乳剤塗布前のＷＰ紙に既に広告を印刷した紙をウオータープルーフ加工したものを用いてもよいし、ハロゲン化銀写真印画紙に利用者の画像を露光現像処理前、又は露光現像処理後に既に広告が印刷された別の紙を貼りつけてもよい。また、ハロゲン化銀写真印画紙に利用者の画像を露光現像処理前、又は露光現像処理後に印画紙の裏面にインクジェットに適した専用紙を貼りつけてもよい。更に、ハロゲン化銀写真乳剤が印画紙の両面に塗布された両面のハロゲン化銀印画紙の一方の面に利用者の画像を露光印画し、裏面に広告を露光印画してもよい。
【００４０】
裏面に広告を印画する場合には、利用者が裏面を見るための工夫が積極的になされていることが好ましい。その工夫としては、賞品、サービス等があたるクーポン等を裏面の一部に印画し、そのことをプリント受注時等に利用者に周知する等の方法が考えられる。その他のいかなる有用情報によっても、利用者が裏面を見るためのきっかけを与えられればよい。
【００４１】
広告料金はいかなる方法で設定してもよい。例えば、印画紙サイズ、印画紙両面中の広告部分の面積割合、印画紙部数等をもとに一定の広告料の提供基準を決めておき、特定の印画紙サイズにおける広告依頼者が占める部数の割合の大きさに応じた広告料を契約で設定する方法が好ましい方法として挙げられる。このような価格設定により資本力のある大企業から、地域の零細は小売店までが、その支払い能力に応じた規模の印画紙広告を行うことができ、広告依頼者の経済的規模にかかわらず利用できる優れた広告媒体となりうる。この点は、テレビコマーシャルでは無し得ない本発明に係る広告媒体の利点の一つである。もちろん、広告料は、これ以外のいかなる基準によっても、お互いに契約で任意に設定してもよい。
【００４２】
地域の現像所が独自に地域の広告依頼者からの広告依頼を受注しても良く、この場合には簡便な広告の印画方法が好まれる。また、インターネットなどのコンピュータネットワークを利用して広告依頼者からの広告依頼を印画紙製造メーカー、そのディストリビュータ、又は現像所が直接受注してもよいし、広告代理店を通して広告依頼を受け付けてもよい。
【００４３】
広告の作成は如何なる者が如何なる方法で行ってもよい。広告の作成者としては広告依頼者、広告代理店、印画紙製造メーカ、そのディストリビュータ、又は現像所等が挙げられる。好ましくは広告代理店、印画紙製造メーカ、そのディストリビュータ、又は現像所である。
【００４４】
広告の作成方法として好ましくは、コンピュータの画像処理ソフトで作成することが挙げられる。コンピュータで作成されたデジタルの広告データの処理はその印画方法に適した方法を選択するのが好ましい。
【００４５】
当然のことながら、本発明に係るサービスの提供方法の取り扱うことのできる広告依頼者の種類は、いかなる業種の法人、いかなる団体、又はいかなる個人でも良く、その対象も製造業の製品、サービス業のサービス、又は求人広告等いかなる種類の広告でもよい。
【００４６】
また、特定の広告若しくは特定の広告依頼者の広告に対しては、特定の利用者のプリントのみを広告掲載対象とするような、印画紙広告業者と広告依頼者との契約形態（例えば、写真印画紙利用者にあった業種の広告依頼者からの広告を選択して印画する等の契約形態）を取ることが好ましい。この方法としていかなる方法を用いてもよいが、好ましくは、利用者の個人情報を利用することが好ましい。利用者の個人情報としてはいかなるものでもよいが、性別、年齢、家族構成、職種、地域、趣味などの個人情報が好ましい。特に好ましくは、年齢、性別、家族構成などである。但し、これらの個人情報は利用者がプリント注文時にプリント受注業者が使用目的を告げた上で、利用者自らが開示した情報でなければならない。
【００４７】
この際、プリント受注業者は利用者情報の取り扱いには細心の注意が必要である。利用者の情報は広告印画の対象を絞る目的及び利用者自身の利益のためのみに利用する必要がある。
【００４８】
個人情報はプリント受注時に、使用目的を告げた上で、アンケート用紙、懸賞応募用紙、サービスカード、プリント会員等としての入会手続き等への記入事項として利用者に記入してもらい、アンケート用紙等をネガフイルム等を入れるためのＤＰ（Ｄｅｖｅｌｏｐｉｎｇ  ａｎｄ  Ｐｒｉｎｔｉｎｇ）袋に同封してもらったり、また、既に会員登録がされている場合にはその会員番号をＤＰ袋上に記入してもらうのが好ましい。
【００４９】
インターネット上のＷＥＢ  サイト上でのプリント受注の場合などは受注の際、ネット上で入力してもらってもよい。一般に、インターネットを介してプリント注文する場合には、その利用に際してユーザ登録をしてもらい、ユーザＩＤとパスワードが発行され、その後、ユーザＩＤとパスワードでプリント受注サイトにログインしてネット注文ができるようになっているが、前記ユーザ登録した利用者の個人情報を、その利用者に適合する広告を選択するための情報として利用することができる。
【００５０】
このような利用者の個人情報をもとにして、広告依頼者と印画紙広告業者が契約により、ある特定の範囲の利用者の写真プリントに対してのみ、広告を掲載するという方法を採るようにしている。個人情報を利用した広告掲載範囲の設定の仕方はいかなる方法でもよい。ある広告依頼主は２０代の女性利用者のみに広告を掲載することを契約内容にしても構わないし、１つの広告主が複数の広告を掲載する場合でも、広告ごとに異なる年齢層、性別などに限って広告を掲載しても構わない。
【００５１】
個人情報とそこに掲載する広告とのマッチングは、コンピュータ上で行うことが好ましい。尚、利用者の個人情報を利用することは本発明の好ましい態様ではあるが、本発明は個人情報を利用せず、プリント注文を受け付けた取次店、ネット注文時に利用者が写真プリントを受け取りにいく店として指定した取次店、及びその地域などによって、広告を選択する方法を除くものではなく、前記取次店の情報も利用者に関する情報の１つとして利用できる。
【００５２】
ＤＰ袋には、取次店を特定するための７桁の取引先コードと、５桁の連番の受付ナンバーを示すバーコードが印刷されており、このバーコードによってＤＰ袋を現像所に集荷してから、現像所での写真プリントの製造後に写真プリント及びネガフイルムを同じＤＰ袋に入れて取次店に配送するまでの処理が管理されているが、前記バーコード（特に取次店を特定するための取引先コード）を、取次店の情報として利用することができる。
【００５３】
勿論、本発明に係る広告付きの低廉価な写真プリントを利用するか、又は広告なしの高価格の写真プリントを利用するかは利用者の任意の選択にゆだねられることが好ましい。
【００５４】
【実施例】
次に、本発明に係る広告付写真プリントの製造方法及び利用者と広告依頼者双方に対するサービスの提供方法（  以上をまとめて、以下印画紙広告と呼ぶ）  について実施例によって更に詳しく説明する。しかし、本発明はこれらに限定されるものではない。
【００５５】
実施例１（印画紙の表面の一部に広告を印画する例）
本発明の印画紙広告の一つの実施の形態を、図１のブロック図を使って説明する。
【００５６】
広告依頼者１から印画紙広告の依頼を受けた印画紙広告事業者３内の広告データ作成者４が、印画紙広告のフォーマットに合った形式で広告データ８をコンピュータ端末５上で作成し、作成された広告データ８は印画紙広告事業者３の有するホストコンピュータ７の広告データベース内に保存され、複数の広告依頼者と印画紙広告事業者３との間の契約に沿った形で利用者の個人情報に基づいて取り出せるように管理される。即ち、前記広告データベースには、広告依頼者１が要望する広告対象者を選択するための広告対象者情報１２３（利用者の個人情報に相当する情報）が各広告に関連づけられて登録されている。
【００５７】
一方、利用者２は取次店に写真プリントを希望する画像（ネガフイルム、又はデジタル画像データ１１）  を持ち込み、ＤＰ袋を介して写真プリントの注文をする。このとき同時にアンケート用紙などの形で利用者情報１２０を利用者自身に記入してもらい、これをＤＰ袋に同封する。各取次店のＤＰ袋は、写真現像所９に集荷され、写真現像所等の利用者情報入力端末１２１でＤＰ袋に同封されたアンケート用紙に記入された利用者の個人情報（利用者情報１２０）が入力され、ホストコンピュータ７に送られる。尚、既にアンケートに答え、プリント会員への入会手続きが完了している会員の場合には、会員カードを取次店に提示し、会員番号等をＤＰ袋に記入してもらうことで、再度のアンケートを行わなくてもこのサービスの提供を受けられるようになっている。また、プリント会員に入会した各利用者の会員番号と、利用者情報とは関連付けられて利用者データベースで管理されており、ＤＰ袋等に記入された会員番号を入力することで、そのデータベースから利用者情報を広告の選択のために取り出すことができる。
【００５８】
利用者の画像データ１１は現像所９内に設置された写真プリンタ１０によって、写真プリントされる。その際、利用者２の選択により広告付写真プリントを希望する場合には、ホストコンピュータ７は、利用者情報入力端末１２１で入力された利用者情報１２２をもとにホストコンピュータ７の広告データベースで管理された広告データのうちから、その利用者にふさわしい広告データ１２４を選び出し、この広告データ１２４が写真プリンタ１０に読み込まれ、利用者２が持ち込んだ画像データ１１と共に印画される。この広告データ８と画像データ１１の両方が印画された広告付写真プリント１２は、利用者２に低価格で提供される。
【００５９】
前記した印画紙広告事業者３はそれ自体独立した法人でなくとも、写真印画紙メーカ、そのディストリビュータ、現像所、広告代理店が、それぞれの事業の目的を達成するために有益な行為として行ってもよい。
【００６０】
前記した利用者２が写真現像所９に持ち込む画像データのうち、ネガもしくはポジフイルムなどのアナログデータは実際に写真現像所９もしくはその取次店に直接利用者２が持ち込むことが好ましい。一方、デジタル画像データ１１はそれを記録したデジタル情報記録メディアを写真現像所９もしくはその取次店に直接利用者２が持ち込んでもよいが、コンピュータネットワークを通じて写真現像所９に提供されてもよい。デジタル情報記録メディアとしては、ＣＤ−ＲＯＭ、ＤＶＤ  、ＭＯ、フロッピーディスク、もしくはスマートメディア等の半導体メモリが挙げられる。また、将来発明され利用されうる大容量なリムーバブル情報記録メディアが用いられてもよい。
【００６１】
また、広告データはコンピュータネットワークを通じて写真現像所９に提供されることが好ましい。前記したコンピュータネットワークは、電話回線、光通信回線、及び無線回線を利用した通信網を利用した、インターネットやローカル・エリア・ネットワーク（ＬＡＮ）など、双方に情報がやり取りできるものであって、既存のものを利用したり、新たに構築したりしてもよい。
【００６２】
前記した印画紙広告のフォーマットとしてはいかなるものでもよいが、好ましいものの例を図２に示した。
【００６３】
図２（Ａ）及び（Ｂ）に示したフォーマット１、２は、それぞれＬプリントサイズ（サービスサイズ）とパノラマサイズの写真プリントの側部に連続して写真プリントのサイズの約４分の１、及び約８分の１のサイズの広告が印画された広告付写真プリントを示し、図２（Ｃ）及び（Ｄ）に示したフォーマット３、４は、それぞれＬプリントサイズ（サービスサイズ）とパノラマサイズの写真プリントの側部又は下部に写真プリントと同サイズの広告が印画された広告付写真プリントを示している。尚、フォーマット３、４のものは、後述するように写真プリントの裏面に広告が貼り合わされる。
【００６４】
図３は主として図１に示した写真プリンタ１０の概略構成を示すブロック図である。同図に示すように、写真プリンタ１０は利用者からの画像データと広告データ８を画像処理部１７で処理して、予め決められた印画紙広告のフォーマットに従い、カラーペーパ２６にプリントする。利用者が写真現像所９に持ち込む画像データはいかなる形態の記録メディアに保存されていてもよいが、ここではアナログデータの代表例としてネガフイルム１９、及びデジタルデータの代表例としてフロッピーディスク１３が示されている。
【００６５】
利用者が持ち込んだネガフイルム１９は未現像のものであれば、ネガフイルム現像装置１８で現像された後、現像済みのものであればそのまま、写真プリンタ１０内のネガ画像スキャナー１５によって読み取られ、得られた利用者の画像データ２０は写真プリンタ１０内のネガ画像記録部１４で一時保存され、写真プリンタ１０内の画像処理部１７に出力される。また、利用者が持ち込んだデジタルデータ記録メディアであるフロッピーディスク１３に保存された利用者の画像データ２０はデジタルデータ記録メディア・ドライバー１６にセットされ、適宜、画像処理部１７へ出力される。
【００６６】
一方、ホストコンピュータ７の広告データベースに保存された広告データ８も画像処理部１７へ出力される。
【００６７】
画像処理部１７は、予め決められた印画紙広告のフォーマットの選択と、選択したフォーマットに従い、利用者の画像データ２０及び広告データ８を処理する処理部であり、処理された利用者の画像データ２０及び広告データ８をカラーラインプリンタ２５へ出力する。このカラーラインプリンタ２５には、長尺状のカラーペーパ２６が装填されており、カラーラインプリンタ２５は、レーザビームでカラーペーパ２６の幅方向に主走査すると共に、カラーペーパ２６をペーパプロセッサ２７の処理速度と一致した速度で搬送ローラ対２８により搬送することにより副走査して、画像処理部１７からの利用者の画像データ２０及び広告データ８に基づいてカラーペーパ２６を焼付露光する。この焼付露光済のカラーペーパ２６は、そのままペーパプロセッサ２７へ搬送され、ここで現像処理される。現像処理が終了したカラーペーパ２６は、このペーパプロセッサ２７において各コマ毎に（図２のフォーマット１〜３のようなフォーマットの場合、利用者の画像データ２０の１コマと広告データ８の１コマを一組として各組毎に）  切断されて写真受け皿２９へ排出される。
【００６８】
図４は主として図３に示した画像処理部１７の概略構成を示すブロックである。同図に示すように、画像処理部１７は、メインマイクロプロセッサ６８を含んで構成されている。この画像処理部１７には、写真プリンタ１０内のネガ画像記録部１４、もしくはデジタルデータ記録メディア・ドライバー１６から出力された利用者の画像データ２０、及び広告データ８が入力される。これらの画像データの内、アナログデータの場合はＡ／Ｄ変換器４０においてデジタルデータに変換され、デジタルデータの場合はそのままノイズ除去回路４２へ出力される。ノイズ除去回路４２は、デジタルデータへの変換時等に発生したノイズ除去のための回路であり、例えばリカーシブフィルタによって構成されている。
【００６９】
ノイズ除去回路４２から出力された画像データは、３ポートのフレームメモリ４４へ出力される。このフレームメモリ４４は、各々転送速度が異なる画像データを出力する機能を有している。即ち、フレームメモリ４４が転送速度の異なる２系統の出力機能を有することで、異なる転送速度の周辺機器（例えば、ＣＲＴと写真プリンタ等のように転送速度が異なる機器）へ略一致する時期に画像データを出力することを可能としている。以下、遅い転送速度に対応するフレームメモリ４４の出力を出力Ａとし、速い転送速度に対応するフレームメモリ４４の出力を出力Ｂとする。出力Ａは、プリンタへ出力するための転送速度を有し、出力ＢはＣＲＴへの表示のための転送速度を有する。
【００７０】
出力Ｂからの画像データは、ＣＲＴ用のルックアップテーブルメモリ（以下、ＬＵＴという）６０においてγ補正がなされ、Ｄ／Ａ変換器６２に入力される。Ｄ／Ａ変換器６２では、入力されたデジタル信号がアナログ信号に変換される。この変換されたアナログ信号はＣＲＴ６４へ入力される。このＬＵＴ６０はＣＲＴに最適に表示可能なように濃度変換するためのものである。尚、ＬＵＴ６０は、高速なメモリから構成されており、各アドレスに対応したデータを予めメインマイクロプロセッサ６８から書き込むことによって色調の変換をすることができる。また、メインマイクロプロセッサ６８は、ＬＵＴ６０のデータの書換えの他に、後述するＬＵＴ５４のデータの書換え、色補正マトリクスの係数の変更、広告フォーマットの選択、カラーラインプリンタ２５へのプリントサイズ指示、及びセレクタ５２の出力すべき画像データの設定等をすることができる。更に、メインマイクロプロセッサ６８には、メモリ・タイミングコントローラ６６も接続されている。
【００７１】
また、マイクロプロセッサ６８に対しては、ＣＲＴ６４により画像を確認しつつ、キーボード２１からの操作で色補正や広告データ選択の指示を与えることができる。
【００７２】
出力Ａからの利用者の画像データ２０及び広告データ８は、プリンタへ向けて転送されると共に、同一の画像データが画像補間回路４８へ出力される。即ち、フレームメモリ４４にフリーズされた画像の画像データをプリンタへ転送するときの画像データは、フレームメモリ４４の出力Ａから読み出される。この画像データはセレクタ５２を介してプリンタ用のＬＵＴ５４に入力される。プリンタ用ＬＵＴ５４は、フレームメモリ４４からの画像データを階調変換するためのものである。このＬＵＴ５４には、キー入力された補正値に対応する補正データが記憶されており、この補正データに基づいて階調を変換する。階調変換された画像データは、色補正マトリクス回路５６により、カラーペーパ等の色特性に合わせられ、プリンタ用インタフェース（Ｉ／Ｆ）５８を介してカラーラインプリンタ２５へ出力される。
【００７３】
また、出力Ａからの画像データで、画像補間回路４８に入力される利用者の画像データ２０及び広告データ８の内、広告データ８は、画像補間回路４８で予め定めたフォーマットに合った形の画像に縮小補間される。画像補間回路４８には、予め幾つかの広告フォーマットを記憶した広告フォーマット記憶部４６が接続されている（図２参照）。この画像補間回路４８において縮小された画像の広告データは、広告データ画像用のフレームメモリ５０へ出力される。フレームメモリ５０には、このような方法で、利用者がネガフイルム１９又はフロッピーディスク１３を持ち込む以前に、予め複数の広告データ８が入力されていることが好ましい。図２で示したフォーマット１〜３のようなフォーマットを選択した場合には、セレクタ５２は、まず３ポートフレームメモリ４４側に設定し、利用者の画像データ２０をプリンタへ出力し、続けてセレクタ５２をフレームメモリ５０側に設定し、ラインプリンタへ出力することで、フォーマット１又はフォーマット２のような写真プリントを作成することができる。予めフレームメモリ５０に入力されている複数の広告データから、各プリントごとに異なる広告データを選択してプリントすることが出来る。
【００７４】
図５は図３及び図４に示したカラーラインプリンタ２５の概略構成を示すブロック図である。同図に示すようにカラーラインプリンタ２５は、半導体レーザ７２ａ、７２ｂ及び７２ｃを備えている。この半導体レーザ７２ａ、７２ｂ及び７２ｃの各々は、図示しないマイクロプロセッサを含むプリンタコントローラ７０により駆動され、半導体レーザ７２ａは波長が例えば、６７０ｎｍである赤外域のレーザビームＬ１を射出し、半導体レーザ７２ｂ及び７２ｃは各々８１０ｎｍ、７５０ｎｍの波長のレーザビームＬ２、Ｌ３を射出する。また、レーザビームＬ１、Ｌ２及びＬ３の波長は、カラーペーパ２６が露光されることにより発色するマゼンタ、イエロー及びシアンの各色に対応されている。尚、これらの波長のレーザビームＬ１、Ｌ２及びＬ３を射出する各半導体レーザは極めて容易に入手できるものである。
【００７５】
半導体レーザ７２ａのレーザビーム射出側にはレーザビームＬ１を平行光束にするコリメータレンズ７４ａが配設されると共に、コリメータレンズ７４ａから所定の間隔を隔ててシリンドリカルレンズ７６ａと反射ミラー７８Ａとが設けられている。同様に、半導体レーザ７２ｂ及び７２ｃのレーザビーム射出側には各々コリメータレンズ７４ｂ、７４ｃが配設され、このコリメータレンズ７４ｂ、７４ｃから所定の間隔を隔ててシリンドリカルレンズ７６ｂ、７６ｃが設けられている。
【００７６】
シリンドリカルレンズ７６ｂ、７６ｃを透過するレーザビームＬ２、Ｌ３の光路上にはダイクロイックミラー７８ａ、７８ｂが配設されている。反射ミラー７８Ａとダイクロイックミラー７８ａ、７８ｂとは同一の傾斜角度を有し、各々のレーザビームＬ１、Ｌ２及びＬ３を同一の光路ＬＬに導く。ダイクロイックミラー７８ａはレーザビームＬ１を透過させると共にレーザビームＬ２を反射させる。一方、ダイクロイックミラー７８ｂはレーザビームＬ１及びＬ２を透過させると共にレーザビームＬ３を反射させる機能を備えている。
【００７７】
同一の光路ＬＬに至ったレーザビームＬ１、Ｌ２及びＬ３は反射ミラー７８Ｂ、７８Ｃにより反射された後、ポリゴンミラー８０に入射される。ポリゴンミラー８０は矢印方向に回転し、このポリゴンミラー８０により反射されたレーザビームＬ１、Ｌ２及びＬ３はｆθレンズ８２を通過して面倒れ補正のためのシリンドリカルミラー８４で反射され、カラーペーパ２６上を矢印Ａ方向に主走査される。カラーペーパ２６は搬送ローラ２８の回転により、主走査方向に略直交する副走査方向（矢印Ｂ方向）に搬送される。これにより、カラーペーパ２６に画像が形成される。搬送ローラ２８は、プリンタコントローラ７０に接続された図示しない駆動手段により回転する。
【００７８】
上記半導体レーザ７２ａは、レーザダイオード及びフォトダイオードから構成されたアノードコモンタイプの半導体レーザであり、レーザダイオードはプリンタコントローラ７０の制御信号（変調信号）に応じてレーザビームＬ１を射出し、フォトダイオードはレーザダイオードから射出されたレーザビームＬ１の光出力を検出する。半導体レーザ７２ｂはレーザダイオード及びフォトダイオードから構成されたカソードコモンタイプの半導体レーザであり、半導体レーザ７２ｃはレーザダイオード及びフォトダイオードから構成されたカソードコモンタイプの半導体レーザである。これらの半導体レーザ７２ａ、７２ｂ、７２ｃ（即ちレーザダイオード及びフォトダイオード）は、プリンタコントローラ７０に接続されている。
【００７９】
尚、カラーラインプリンタ２５は、画像データの入力終了と共に、又はメインマイクロプロセッサ６８からの制御信号に応じて、カラーペーパ２６における隣合う露光コマ間の余白部位に位置するように、図６に示したカットマークを露光する機能を有している。このカットマーク８８に基づいて、ペーパプロセッサ２７ではカラーペーパ２６の乾燥後に図示しないカッタによってカラーペーパ２６を焼き付けた露光コマ毎に切断する。
【００８０】
このようにして作成した広告付写真プリントは広告料収入で写真プリントサービスコストの一部をまかなうことができるため、低価格で利用者に提供することができる。
【００８１】
実施例２（印画紙の裏面に広告を印画する例）
実施例１と全く同様のプロセスに従って、図２で示したフォーマットのうち、フォーマット３の形式で写真プリントを作成する。図７に示すように、この写真プリントを利用者の画像と広告の境界の線上で山折りにする。この写真プリントの裏面の全面区間のうち、折り目線で２等分された区間の一方の区間に粘着剤もしくは両面テープを貼り付け、他方の区間と裏面どうしを貼り合わせることで、表面に利用者の画像が印画され、裏面に広告が印画された写真プリントを得ることができる。
【００８２】
ここで、粘着剤としては、ＳＢＲゴムを主成分とするアクリル系粘着剤を用いたが、これ以外にあらゆる粘着剤を用いることができる。しかし、無溶剤型粘着剤が好ましい。無溶剤型粘着剤を用いることで、溶剤を除去する必要が無く、その溶剤除去のための乾燥の必要もないため、生産性を向上できるばかりでなく、印画紙に溶剤が浸透して写真画像を害することも無い。
【００８３】
無溶剤型粘着剤としては、市販の糊、天然ゴム、ＳＢＲゴム、アクリル酸高級エステルを主成分とするアクリル系粘着剤ができる。
【００８４】
他の無溶剤型粘着剤としては、加熱することで流動性を有する状態に溶融し、常温では流動性の無い状態となる、いわゆるホットメルトタイプの粘着剤、光（紫外線等）により硬化する光硬化型粘着剤、放射線によって硬化する放射線硬化型粘着剤等が挙げられ、これらは、例えば、特開平２−１６０８８６号公報、特開平２−１６７３８０号公報、特開昭６０−６９１７８号公報、特公昭５７−１５７８０号公報等にその具体的成分や技術が開示されている。
【００８５】
尚、無溶剤型粘着剤は溶剤を使用しない粘着剤であるが、上記具体例に限定されることは無い。また、両面テープとしては、市販の両面テープを用いることができる。両面テープを使用した場合も前記の無溶剤型粘着剤と同様に、生産性を向上することができる。
【００８６】
このようにして作成した広告付写真プリントは広告料収入で写真プリントサービスコストの一部をまかなうことが出来るため、低価格で利用者に提供することができる。
【００８７】
上記実施例では、現像所や取次店に持ち込まれたネガフイルム等に基づいて広告付写真プリントを製造する場合について説明したが、ネットワークを介してプリントサーバ等にアップロードされた画像から広告付写真プリントを製造することもできる。この場合の広告を選択する場合の利用者情報は、ネット受付時に入力されるユーザＩＤ等から事前に登録され管理されている利用者情報から該当する利用者の利用者情報を取り出して使用することができる。
【００８８】
また、ネット受付時にプリント受注サイト上で写真プリントに掲載可能な広告を閲覧可能にし、利用者に１乃至複数の広告を選択させ、その選択した広告の情報を画像とともにプリントサーバに送信させるようにしてもよい。この場合、利用者が希望した広告が写真プリントの表面の一部又は裏面に印画され、もしくは貼り付けられる。
【００８９】
【発明の効果】
以上説明したように本発明によれば、高画質且つ低価格若しくは無償の写真プリントを利用者に提供することができるとともに、広告対象者を絞った広告が可能な効果的な広告媒体を広告依頼者に提供することができる。
【図面の簡単な説明】
【図１】本発明に係る広告付写真プリントの製造方法及び利用者と広告依頼者双方に対するサービスの提供方法の実施例１を示すブロック図である。
【図２】本発明に係る広告付写真プリントのフォーマットを例示する説明図である。
【図３】図１における写真プリンタの概略構成を示すブロック図である。
【図４】図３における画像処理部の概略構成を示すブロック図である。
【図５】図１及び図３におけるカラーラインプリンタの概略構成を示すブロック図である。
【図６】カラーペーパを切断する為のカットマークを示すイメージ図である。
【図７】実施例２の広告付写真プリント作成プロセスを説明を助ける説明図である。
【符号の説明】
１…広告依頼者、２…利用者、３…印画紙広告事業者、４…広告データ作成者、５…コンピュータ端末、６…広告依頼、７…ホストコンピュータ、８…広告データ、９…写真現像所、１０…写真プリンタ、１１…画像データ、１２…広告付写真プリント、１７…画像処理部、２５…カラーラインプリンタ、２６…カラーペーパ、２７…ペーパープロセッサ
【図１】
2004177727.tif 000003
【図２】
2004177727.tif 000004
【図３】
2004177727.tif 000005
【図４】
2004177727.tif 000006
【図５】
2004177727.tif 000007
【図６】
2004177727.tif 000008
【図７】
2004177727.tif 000009